(57)【特許請求の範囲】
【請求項１】
下端縁および左右両側縁を閉塞し、上縁を開口する柔軟な袋Ａの上縁部へ取り付けする取手であって、弾性変形可能に設けた横板２の両端から挟持板基部３を起立し、かつ該基部上面から肉薄ヒンジ４を介して挟持板先端部５を起立して、挟持板基部３と挟持板先端部５との一方前面に嵌合突子６を、かつ他方に嵌合突子嵌合用孔７を、それぞれ設けて形成してなり、袋上縁部の左右両側部ａをそれぞれ外側から挟持板基部３と挟持板先端部５との間に挟み、かつ嵌合用孔７内へ、袋左右両側部を介在させて嵌合突子６を固嵌めさせて袋に取り付ける如く構成したことを特徴とする袋用取手。
【請求項２】
下端縁および左右両側縁を閉塞し、上縁を開口する柔軟な袋Ａ上縁部へ取り付けする取手であって、弾性変形可能に設けた横板２の両端から挟持板基部３を起立し、かつ該基部の外方側縁から肉薄ヒンジ４を介して挟持板先端部5aを外方へ突出して、それ等挟持板基部３と挟持板先端部5aとの一方前面に嵌合突子６を、かつ他方に嵌合突子嵌合用孔７を、それぞれ設けて形成してなり、袋上縁部の左右両側部ａをそれぞれ外側から挟持板基部３と挟持板先端部5aとの間に挟み、かつ嵌合用孔７内へ、袋左右両側部を介在させて嵌合突子６を固嵌めさせて袋に取り付ける如く構成したことを特徴とする袋用取手。
【請求項３】
下端縁および左右両側縁を閉塞し、上縁を開口する柔軟な袋Ａ上縁部へ取り付けする取手であって、弾性変形可能に設けた横板２の両端から、挟持板基部３を起立し、かつ該基部上面から第１肉薄ヒンジ4aを介して挟持板先端部５を起立し、更に、これ等挟持板先端部５の外方側面から第２肉薄ヒンジ4bを介して止め板11を突設し、挟持板基部３と挟持板先端部５との各前面にはそれぞれ滑り止め突条12を横設すると共に、挟持板基部３と止め板11との一方に嵌合突子６を、他方には嵌合突子嵌合用孔７を、それぞれ設けて形成してなり、第１肉薄ヒンジ4a屈折により挟持板基部３前面と挟持板先端部５前面との間に袋上縁部の左右両側部ａを挟持させるとともに、第２肉薄ヒンジ4bを屈折して、止め板11前面を挟持板基部３の後面へ、嵌合用孔７内への嵌合突子６を固嵌めにより圧接させて袋に取り付ける如く構成したことを特徴とする袋用取手。
【発明の詳細な説明】
【０００１】
【発明の属する技術分野】
本発明は袋用取手に関する。
【０００２】
【従来の技術】
従来合成樹脂等により形成された柔軟な袋に菓子等を収納することが行われている。これらの袋は、上端縁部を切断除去する等の方法で開封後、下端縁および左右両側縁が閉塞され、上縁を開口した状態で収納物を使用するが、収納物が全部使い切られずに残った場合には、開口部分を折り畳んでクリップで止める等して保存している。
【０００３】
【発明が解決しようとする課題】
しかしながら、再度使用する場合にはクリップを外し、折り畳み部分を戻し使用しなければならず、その後再び保管しておく場合にはその都度折り畳んでクリップで止めなくてはならず、不便であり、収納物を少量ずつを頻繁に使用する場合には特に不便となる。
【０００４】
本発明はこの様な点を考慮してなされたもので、一旦開封した柔軟な袋に装着してその開口を閉塞し、必要に応じて極めて簡単な操作で開口の開閉を行えるとともに、吊り下げ保管することも可能であり、しかも構造が簡単で安価に製造できる利点を兼ね備えた便利な袋用取手を提案するものである。
【０００５】
【課題を解決するための手段】
第１の手段として、下端縁および左右両側縁を閉塞し、上縁を開口する柔軟な袋Ａの上縁部へ取り付けする取手であって、弾性変形可能に設けた横板２の両端から挟持板基部３を起立し、かつ該基部上面から肉薄ヒンジ４を介して挟持板先端部５を起立して、挟持板基部３と挟持板先端部５との一方前面に嵌合突子６を、かつ他方に嵌合突子嵌合用孔７を、それぞれ設けて形成してなり、袋上縁部の左右両側部ａをそれぞれ外側から挟持板基部３と挟持板先端部５との間に挟み、かつ嵌合用孔７内へ、袋左右両側部を介在させて嵌合突子６を固嵌めさせて袋に取り付ける如く構成した。
【０００６】
第２の手段として、下端縁および左右両側縁を閉塞し、上縁を開口する柔軟な袋Ａ上縁部へ取り付けする取手であって、弾性変形可能に設けた横板２の両端から挟持板基部３を起立し、かつ該基部の外方側縁から肉薄ヒンジ４を介して挟持板先端部5aを外方へ突出して、それ等挟持板基部３と挟持板先端部5aとの一方前面に嵌合突子６を、かつ他方に嵌合突子嵌合用孔７を、それぞれ設けて形成してなり、袋上縁部の左右両側部ａをそれぞれ外側から挟持板基部３と挟持板先端部5aとの間に挟み、かつ嵌合用孔７内へ、袋左右両側部を介在させて嵌合突子６を固嵌めさせて袋に取り付ける如く構成した。
【０００７】
第３の手段として、下端縁および左右両側縁を閉塞し、上縁を開口する柔軟な袋Ａ上縁部へ取り付けする取手であって、弾性変形可能に設けた横板２の両端から、挟持板基部３を起立し、かつ該基部上面から第１肉薄ヒンジ4aを介して挟持板先端部５を起立し、更に、これ等挟持板先端部５の外方側面から第２肉薄ヒンジ4bを介して止め板11を突設し、挟持板基部３と挟持板先端部５との各前面にはそれぞれ滑り止め突条12を横設すると共に、挟持板基部３と止め板11との一方に嵌合突子６を、他方には嵌合突子嵌合用孔７を、それぞれ設けて形成してなり、第１肉薄ヒンジ4a屈折により挟持板基部３前面と挟持板先端部５前面との間に袋上縁部の左右両側部ａを挟持させるとともに、第２肉薄ヒンジ4bを屈折して、止め板11前面を挟持板基部３の後面へ、嵌合用孔７内への嵌合突子６を固嵌めにより圧接させて袋に取り付ける如く構成した。
【０００８】
【発明の実施の形態】
以下、本発明の実施例の形態を図面を参照して説明する。
【０００９】
図１乃至図４は本発明の一実施例を示すもので、図中１は袋用取手を示す。該取手１は、下端縁および左右両側縁を閉塞し、上縁を開口する柔軟な袋Ａの上縁部へ取り付けするものであり、合成樹脂等により一体に形成される。また、弾性変形可能に設けた横板２の両端から挟持板基部３，３を起立し、かつ該基部上面から肉薄ヒンジ４を介して挟持板先端部５を起立しており、挟持板基部と先端部との一方前面に嵌合突子６を、かつ他方に嵌合突子嵌合用孔７を、それぞれ設けている。
【００１０】
横板２は上記した如く弾性変形可能に設けたものであり、両側からの押圧により湾曲する如く構成したものであるが、左右方向中心部が外方へ突出する如く弾性変形し易い様に、図示例の如く、左右方向中心部に薄肉部分８を形成しても良い。また、横板２の両端或いは各挟持板基部３に紐挿通用孔９を穿設しても良い。更に、図示例では挟持板先端部５に嵌合突子６を、挟持板基部３に嵌合用孔７を、それぞれ設けているが、その逆であっても良い。また、嵌合突子６と嵌合用孔７の数はそれぞれ一つずつ設けているが、各々複数設けることも可能である。
【００１１】
また、取手１は、図２に示す如く、袋上縁部の左右両側部ａ，ａを挟持板基部３と先端部５との間に挟み、かつ嵌合用孔７内へ、袋左右両側部を介在させて嵌合突子６，６を固嵌めさせて袋Ａに取り付ける如く構成している。この様に取り付けることにより、開封した袋Ａを閉塞状態で維持することが出来る。
【００１２】
そして、収納物を取り出す際には、両側から中心に向かって押圧すれば、図３に示す如く、横板２が弾性変形し、袋Ａが開口する。更に、図２の状態から、横板２を１８０度回動させれば、図４に示す如く、挟持板基部３と挟持板先端部５とで挟持された幅の袋Ａ上端縁部が１８０度折り返された状態で横板２が袋上方に位置し、掴むことも、吊りさぜけることもできる如く構成している。また、各紐挿通用孔９に基端部を挿通係止した紐10を設けることも可能である。
【００１３】
図５は本発明の他の実施例を示すもので、本実施例に於ける袋用取手１は、上記実施例と同様の袋に装着し、合成樹脂等により一体に形成される。弾性変形可能に設けた横板２の両端から挟持板基部３，３を起立し、かつ該基部の外方側縁から肉薄ヒンジ４を介して挟持板先端部5a，5aを外方へ突出して、それ等挟持板基部３と先端部との一方前面に嵌合突子６を、かつ他方に嵌合突子嵌合用孔７を、それぞれ設けて形成したものである。即ち、図１の実施例に於いて、挟持板先端部5aを挟持板基部３上面から起立するのに変えて、挟持板基部３の外方側縁から外方へ突出するものであり、それ以外は図１の実施例と同様である。
【００１４】
また、袋上縁部の左右両側部ａ，ａを挟持板基部３と先端部5aとの間に挟み、かつ嵌合用孔７内へ、袋左右両側部を介在させて嵌合突子６，６を固嵌めさせて袋に取り付ける如く構成している。従って、袋へ装着する以外の他の作用は、図１の実施例と実質的に同様である。
【００１５】
図６乃至図10は本発明の更に他の実施例を示すもので、本実施例に於ける袋用取手１も、上記図１の実施例と同様の袋へ取り付けるもので、合成樹脂等により一体に形成される。また、弾性変形可能に設けた横板２の両端から、挟持板基部３，３を起立し、かつ該基部上面から第１肉薄ヒンジ4aを介して挟持板先端部５，５を起立し、更に、これ等挟持板先端部の外方側面から第２肉薄ヒンジ4b，4bを介して止め板11，11を突設し、挟持板基部３と先端部５との各前面にはそれそれ滑り止め突条12を横設すると共に、挟持板基部と止め板との一方に嵌合突子６を、他方には嵌合突子嵌合用孔７を、それぞれ設けて形成している。
【００１６】
図示例では、止め板11前面に嵌合突子６を、挟持板基部３前面に嵌合用孔７を、それぞれ設けているが、その逆であっても良い。また、嵌合突子６および嵌合用孔７はそれぞれ一対設けているが、他の実施例と同様一つであっても三つ以上であっても良い。
【００１７】
また、取手１は、図７に示す如く、第１肉薄ヒンジ4a屈折により挟持板基部前面と先端部前面との間に袋上縁部の左右両側部を挟持させ、次いで、図８に示す如く、第２肉薄ヒンジ4bを屈折して、止め板前面を挟持板基部の後面へ、嵌合用孔７内への嵌合突子６を固嵌めにより圧接させて袋に取り付ける如く構成している。
【００１８】
この場合も同様に開封した袋Ａを閉塞状態で維持することが出来る。また、両側から中心に向かって押圧すれば、図９に示す如く、横板２が弾性変形して袋Ａが開口する。更に図８の状態から、横板２を１８０度回動させると、図10に示す如く、挟持板基部３と挟持板先端部５とで挟持された幅の袋Ａ上端縁部が１８０度折り返された状態で横板２が袋上方に位置し、掴むことも、吊り下げることもできる如く構成している。
【００１９】
【発明の効果】
以上説明した如く本発明の袋用取手は、既述構成としたことにより、上縁を開口した柔軟な袋の上端部へ簡単に取り付けることができ、取り付けただけで上端開口を閉塞でき、しかも収納物使用時には両側から押圧するという極めて簡単な操作で開口し、押圧を解除すれば自然に閉塞するという使勝手の良いものである。
【００２０】
また、構造も簡単で製造も容易であり、収納物を使い切った後は、別の袋に何回も使用できる便利もある。更に、装着した取手の横板を１８０度回動させて袋上縁部を帯状に折り返した状態で吊り下げ維持できるため、各挟持板基部および先端部での挟持作用とあわせて比較的密に袋を閉塞維持できるものである。
【図面の簡単な説明】
【図１】本発明の一実施例を示す斜視図である。
【図２】同実施例の袋に取り付けた状態の斜視図である。
【図３】同実施例の袋を開口している状態の斜視図である。
【図４】同実施例の吊り下げ用に折り返した状態の斜視図である。
【図５】本発明の他の実施例を示す斜視図である。
【図６】本発明の更に他の実施例を示す斜視図である。
【図７】同実施例の袋に取り付けている状態の斜視図である。
【図８】同実施例の袋に取り付けた状態の斜視図である。
【図９】同実施例の袋を開口している状態の斜視図である。
【図１０】同実施例の吊り下げ用に折り返した状態の斜視図である。
【符号の説明】
２…横板，３…挟持板基部，４…肉薄ヒンジ，4a…第１肉薄ヒンジ，
4b…第２肉薄ヒンジ，５，5a…挟持板先端部，６…嵌合突子，
７…嵌合突子嵌合用孔，11…止め板，12…滑り止め突条，
ａ…袋上縁部の側部，Ａ…袋
【図１】
0003805584.tif 000002
【図２】
0003805584.tif 000003
【図３】
0003805584.tif 000004
【図４】
0003805584.tif 000005
【図５】
0003805584.tif 000006
【図６】
0003805584.tif 000007
【図７】
0003805584.tif 000008
【図８】
0003805584.tif 000009
【図９】
0003805584.tif 000010
【図１０】
0003805584.tif 000011